(57)【要約】【課題】  輸送時に収納物が動き難く、かつ使用後の解体が容易である収納箱を提供する。【解決手段】  略矩形状の底面部と、上記底面部に対して略直角である４つの側面部と、上記１つの側面部の一辺に設けられ、閉じている状態では上記底面部と略平行となる蓋部とを備える略直方体の収納箱であって、隣接する上記側面部同士は互いに略直角であり、上記底面部の対向した２つの辺に接するように設けられた一対の上記側面部の一辺にそれぞれ設けられ、上記蓋部が閉じている状態では、上記側面部に対して略直角に折り曲げられ、上記蓋部と重なる一対の羽部を備え、上記底面部の対向した２つの辺に接するように設けられた一対の上記側面部は、切断部が設けられた２つのフラップを有し、上記フラップによって隣接する２つの側面部に接合されることを特徴とする収納箱。【選択図】      図１
2010095273.tif 000002
【特許請求の範囲】
【請求項１】
略矩形状の底面部と、
前記底面部に対して略直角である４つの側面部と、
前記１つの側面部の一辺に設けられ、閉じている状態では前記底面部と略平行となる蓋部とを備える略直方体の収納箱であって、
隣接する前記側面部同士は互いに略直角であり、
前記底面部の対向した２つの辺に接するように設けられた一対の前記側面部の一辺にそれぞれ設けられ、前記蓋部が閉じている状態では、前記側面部に対して略直角に折り曲げられ、前記蓋部と重なる一対の羽部を備え、
前記底面部の対向した２つの辺に接するように設けられた一対の前記側面部は、切断部が設けられた２つのフラップを有し、前記フラップによって隣接する２つの側面部に接合されることを特徴とする収納箱。
【請求項２】
前記羽部は、その一部に開口部を有していることを特徴とする請求項１に記載の収納箱。
【請求項３】
前記蓋部は差し込み部が設けられたフラップを有し、前記フラップが重なる側面部は前記差し込み部が挿入される差し込み口を有していることを特徴とする請求項１又は２に記載の収納箱。
【請求項４】
板紙製であることを特徴とする請求項１ないし３に記載の収納箱。
【請求項５】
前記収納箱の解体時には、前記羽部を前記側面部に重ねて２重とし、前記２重となった部分を掴んで前記切断部を切断して平坦状に変形可能に構成されていることを特徴とする請求項１ないし４に記載の収納箱。
【請求項６】
個別に包装された注射器を収納することを特徴とする請求項１ないし５に記載の収納箱。
【請求項７】
前記注射器には、薬品が充填されていることを特徴とする請求項１ないし６に記載の収納箱。
【発明の詳細な説明】
【技術分野】
【０００１】
本発明は、収納箱に関する。
【０００２】
従来、予め薬品が充填された使い捨ての注射器（シリンジ）が利用されている。この注射器は、プレフィルドシリンジと呼ばれており、この注射器を製造場所から医療現場へ輸送する際には、樹脂製の袋に入れた袋入り注射器を角筒状の収納箱に個別に収納している。（特許文献１）
【０００３】
一方、物品の輸送に用いられる箱は、使用後に解体されることが多く、例えば、本発明とは技術的な分野が全く異なるが、解体が容易であることを特徴とする箱が提案されている。（特許文献２、特許文献３）
【特許文献１】特開２００７−２９７０６５号公報
【特許文献２】特開平１０−２５８８２９号公報
【特許文献３】特開平１１−３２１８５２号公報
【発明の開示】
【発明が解決しようとする課題】
【０００４】
しかしながら、上記特許文献１に記載されるような収納箱には注射器が個別に収納されるため、コストが高く、使用後の収納箱の解体に手間がかかるという問題がある。また、特許文献２に記載されるようなケースは、輸送時に箱の中身が動いてしまう可能性があり、注射器等の医療器具を収納して輸送するのには適していない。さらに、特許文献３に記載される収納箱は、パウチ等の特定の形状の物品を個別に収納するためのものである。
【０００５】
即ち、本発明の目的は、輸送時に収納物が動き難く、かつ使用後の解体が容易である収納箱を提供することである。
【課題を解決するための手段】
【０００６】
本発明に係る収納箱は、略矩形状の底面部と、上記底面部に対して略直角である４つの側面部と、上記１つの側面部の一辺に設けられ、閉じている状態では上記底面部と略平行となる蓋部とを備える略直方体の収納箱であって、隣接する上記側面部同士は互いに略直角であり、上記底面部の対向した２つの辺に接するように設けられた一対の上記側面部の一辺にそれぞれ設けられ、上記蓋部が閉じている状態では、上記側面部に対して略直角に折り曲げられ、上記蓋部と重なる一対の羽部を備え、上記底面部の対向した２つの辺に接するように設けられた一対の上記側面部は、切断部が設けられた２つのフラップを有し、上記フラップによって隣接する２つの側面部に接合されることを特徴とする。
【０００７】
上記構成からなる収納箱は、上記羽部を備えているため輸送時に収納物が動き難く、また、上記切断部を切断することにより、使用後には容易に解体ができる。
【発明の効果】
【０００８】
本発明に係る収納箱は、輸送時に収納物が動き難く、かつ使用後の解体が容易である。
【発明を実施するための最良の形態】
【０００９】
以下、図を用いて本発明に係る収納箱について説明する。
【００１０】
本実施形態に係る収納箱１は、図１に示すように、略矩形状の底面部２と、上記底面部２に対して略直角である４つの側面部（側面部３ａ及び側面部３ｂ）と、上記１つの側面部（側面部３ｂ）の一辺に設けられ、閉じている状態では上記底面部２と略平行となる蓋部４とを備える略直方体の収納箱である。この収納箱は、隣接する上記側面部同士は互いに略直角であり、上記底面部の対向した２つの辺に接するように設けられた一対の上記側面部（側面部３ａ）の一辺にそれぞれ設けられ、上記蓋部４が閉じている状態では、上記側面部（側面部３ａ）に対して略直角に折り曲げられ、上記蓋部４と重なる一対の羽部５を備えている。また、上記底面部２の対向した２つの辺に接するように設けられた一対の上記側面部（側面部３ａ又は側面部３ｂ）は、切断部（切断部７ａ）が設けられた２つのフラップ（フラップ６ａ）を有し、上記フラップ（フラップ６ａ）によって隣接する２つの側面部（側面部３ａ又は側面部３ｂ）に接合されることを特徴とする。
【００１１】
上記構成からなる収納箱１は、上記羽部５を備えているため輸送時に収納物が動き難く、また、上記切断部７ａを切断することにより、使用後には容易に解体ができる。
【００１２】
本実施形態に係る収納箱１は、図２（蓋部４を閉じた状態）に示すように、略矩形状の底面部２、該底面部２の互いに対向する一対の辺に接するように設けられた側面部３ａ、該底面部２ａに対して略直角に隣接し、該底面部２の互いに対向する一対の辺に接するように設けられた側面部３ｂ、閉じている状態では該底面部２と略平行である蓋部４によって略直方体の形状を形成する。そして、上記収納箱１の形状は、収納する物品によって適宜設計することができる。次に、本実施形態に係る収納箱１の各部について説明する。
【００１３】
［底面部］
本実施形態に係る収納箱１は、底面部２を備えている。該底面部２は、図３に示すように、互いに対向する一対の辺で側面部３ａ又は側面部３ｂと接している。実際には、本発明に係る収納箱１は一枚の板紙等からなるので、底面部２の辺となる部分、すなわち底面部２と側面部３ａ又は側面部３ｂとの境界部分を折り曲げることにより、底面部２を形成する。
【００１４】
［側面部３ａ］
本実施形態に係る収納箱１は、略矩形状の側面部３ａを備えている。図１又は図２に示すように、側面部３ａは、互いに略平行であり、底面部２の互いに対向する一対の辺に接するように、それぞれ設けられている。
【００１５】
［羽部］
本実施形態に係る収納箱１は、一対の羽部５を備えている。該羽部５は、図１又は図３に示すように、側面部３ａの、底面部２と接する辺と対向する辺に設けられている。そして、該羽部５には、３つの特徴がある。
【００１６】
上記羽部５の１つ目の特徴は、収納物が収納された後、上記羽部５を収納箱１の内側に折り曲げ、さらに上記蓋部４を折り曲げ、上記羽部５の外側に上記蓋部４を重ねることにより、収納箱１の収納物が動きにくくなり、輸送時に収納物の破損等が起こり難く安全である。
【００１７】
上記羽部５の２つ目の特徴は、収納箱１の解体時に、羽部５を折り曲げることにより、手で掴む部分が２重となり、力をかけ易くなるということである。
【００１８】
具体的には、上記羽部５をさらに収納箱１の内側に折り曲げて、上記側面部３ａに重ね合わせることにより、上記側面部３ａと上記羽部５が２重になり、把握部分となる。そして、この把握部分は２重になっているので、手でしっかりと掴むことができ、切断部７ａの切断、即ち収納箱１の解体を容易に行うことが可能となる。
【００１９】
なお、上記羽部５には、図１又は図３に示すように、折り線８が設けられていることが好ましい。具体的には、容易に折り曲げることができるような加工が施してあることが好ましい。
【００２０】
また、上記折り線８は、上記側面部３ａと上記羽部５との境界と略平行に、かつ上記羽部５を折り曲げたときに、上記底面部２と上記側面部３ａとの境界に近づくように設けられていることが好ましい。このようにすれば、収納箱１の解体時に、側面部３ａが折れ曲がってしまわずに、しっかりと掴むことができる。
【００２１】
［開口部］
上記羽部５の３つ目の特徴は、上記羽部５は、図１又は図３のように、その一部に開口部９を有しているということである。このような開口部９を設けることにより、上記羽部５を閉じた状態でも、収納した物品が見えるようになる。
【００２２】
上記開口部９の形状は、上記羽部５を閉じた状態でも、収納した物品が見える程度であればよく、収納する物品の形状や大きさによって適宜設計すればよい。
【００２３】
特に、上記把握部分を十分に確保しつつも、羽部５を閉じた状態で収納した物品が見えるためには、図１又は図３のように上記羽部５の端部のみが開口部９となっていることが好ましい。
【００２４】
このような開口部９を設けることにより、特に、収納した物品が包装された注射器等の長い形状の場合、その本数を容易に確認することができる。
【００２５】
［側面部３ｂ］
本実施形態に係る収納箱１は、略矩形状の側面部３ｂを備えている。図１又は図２に示すように、側面部３ｂは、互いに略平行であり、底面部２の互いに対向する一対の辺に接するように、それぞれ設けられている。
【００２６】
［フラップ６ａ］
本実施形態に係る側面部３ｂは、図３に示すように、フラップ６ａを有している。該フラップ６ａは、側面部３ａと側面部３ｂとを互いに略直角に接合させるためにあり、これにより、図１又は図２のように、収納箱１が略直方体に形成される。
【００２７】
具体的には、図４に示すように、上記フラップ６ａが上記側面部３ａに対して糊等により接着される。解体時には切断部７ａが切断されるので、接着する部分は、例えば図４においては、フラップ６ａ上の側面部３ａの内側よりに、収納箱１が十分な強度を保つことができる程度に確保すればよい。
【００２８】
［切断部７ａ］
また、上記フラップ６ａは、図３又は図４に示すような切断部７ａを有している。該切断部７ａは、図３又は図４のように、直線上に等間隔に切り込みが入ったものが好ましい。このような形状の切断部７ａは、収納箱１の使用時には充分な強度を保ち、解体持に力を加えることによって容易に切断され、収納箱１の解体が可能となる。
【００２９】
具体的には、上記切断部７ａは、ミシン線あるいは切込線を断続的若しくは連続的に刻切することによって、直線状に設けられているものである。よって、収納箱１の解体時には、上記切断部７ａを切断することにより、収納箱１を容易に平坦状にすることができる。
【００３０】
なお、本実施形態においては、図３に示すように、側面部３ａに羽部５が、側面部３ｂにフラップ６ａが設けられているが、例えば、側面部３ａに羽部５及びフラップ６ａの両方が設けられていてもよい。
【００３１】
［蓋部］
本実施形態に係る収納箱１は、蓋部４を備えている。該蓋部４は、該蓋部４を閉じた状態では、上記側面部３ａ及び側面部３ｂと略直角であり、かつ上記底面部２と略平行である。
【００３２】
上記該蓋部４は、図１、図２又は図３に示すように、上記側面部３ｂの一辺に設けられている。即ち、図３に示すように、上記側面部３ｂと上記蓋部４とは、それぞれの辺で接している。また、上記側面部３ｂと上記蓋部４との境界には、容易に折り曲げることができるような加工が施してあることが好ましい。
【００３３】
また、上記蓋部４は、図１、図２又は図３に示すように、フラップ６ｂを有している。そして、該フラップ６ｂは、差し込み部１０及び切断部７ｂを有している。該フラップ６ｂは、図３に示すように、上記蓋部４の、上記側面部３ｂと接する辺と対向する辺に設けられている。
【００３４】
［差し込み部］
上記差し込み部１０は、初めて開封する際には、上記蓋部４を開封するための持ち手となり得る。つまり、該差し込み部１０を掴んで上記蓋部４を開封することができる。さらに、収納箱１の開封後は、該差し込み部１０を図１又は図３に示すような差し込み口１１に差し込むことにより、再び蓋部４を閉じた状態にすることができる。
【００３５】
また、上記蓋部４のフラップ６ｂには切断部７ｂが設けられている。該切断部７ｂは上記切断部７ａと同様の加工が施されているので、収納箱１を初めて開封する際に、切断部７ｂを切断することにより、容易に開封することができる。
【００３６】
収納物を入れた後には、図２に示すように、上記蓋部４のフラップ６ｂは、上記側面部３ｂに対して糊等により接着される。開封時に上記切断部７ｂが切断されるためには、接着する部分は、例えば図２においては、上記切断部７ｂよりも下部に設けられ、収納箱１が十分な強度を保つことができる程度に確保すればよい。
【００３７】
そして、収納箱１の開封時には、上記差し込み部１０を掴み、上記切断部７ｂを切断することにより容易に開封することができる。
【００３８】
［材質］
本実施形態に係る収納箱１は、軽量性やコストの面から、紙製であることが好ましい。特に限定されないが、板紙や段ボール等の、強度を有する紙が好ましい。
【００３９】
特に、本実施形態に係る収納箱１の材質としては、充分な強度が確保でき、軽量かつ低コストである再生紙を使用した板紙が好ましい。
【００４０】
［使用方法］
次に、本実施形態に係る収納箱１の使用方法を、注射器が梱包された袋を収納する場合を例に挙げて説明する。
【００４１】
特に限定されないが、本実施形態に係る収納箱１は、一枚の板紙等を図３のような形状に切り抜くことにより製造される。この切り抜かれた板紙等には、底面部２と側面部３ａ及び側面部３ｂ、側面部３ｂと蓋部４及びフラップ６ａ、側面部３ａと羽部５、蓋部４とフラップ６ｂとの境界部分等には、容易に折り曲げができるように加工を施すことが好ましい。
【００４２】
上記底面部２と側面部３ａ及び側面部３ｂ、側面部３ｂとフラップ６ａの加工部分を折り曲げることにより、略直方体形状を形成することができる。さらに、上記側面部３のフラップ６ａを、それぞれ隣接する上記側面部３ｂに対して糊付け等により接着する。これで、収納部分は略直方体形状となるので、物品の収納が可能な状態となる。
【００４３】
このように物品の収納が可能となった後、上記収納箱１には注射器が梱包された袋が収納される。そして、注射器が梱包された袋が収納された後、上記羽部５を収納箱１の内側に折り曲げ、さらに上記蓋部４を折り曲げる。このように、上記蓋部４の内側に上記羽部５が重なることにより、上記収納箱１の中の注射器が梱包された袋が動きにくくなり、輸送時に注射器の破損等が起こり難く安全である。
【００４４】
そして、上記蓋部４のフラップ６ｂを折り曲げ、上記側面部３ｂに糊付け等により接着する。このようにして、注射器が梱包された袋を収納した収納箱１が輸送可能な状態となる。
【００４５】
上記注射器が梱包された袋を収納した収納箱１を医療現場等で使用する際には、差し込み部１０を持ち、切断部７ｂを切断して開封する。また、開封後であっても、差し込み部１０を差し込み口１１に挿入することにより、再び蓋部４を閉じた状態にすることができる。
【００４６】
［解体方法］
次に、本実施形態に係る収納箱１の解体方法を説明する。本実施形態に係る収納箱１を解体するには、先ず、上記羽部５を箱の内側に折り込み、側面部３ａに重ねる。こうすることにより、側面部３ａと羽部５とが２重の把握部分になり、手で掴んで展開する際に力を加え易くなる。
【００４７】
この２重の把握部分を掴んで側面部３ａを収納箱１の外側へ引き離すことにより、フラップ６ａの切断部７ａが切断され、側面部３を箱の外側へと展開することができる。このとき、切断部７ａがあることにより、互いに隣接する側面部３ａ及び側面部３ｂは容易に分離される。
【００４８】
上記解体方法によって、本実施形態に係る収納箱１は、容易に直方体から平坦状になる。このように、本実施形態に係る収納箱１は、かさばらない状態とすることができるので、収納箱１の回収や破棄が簡単になる。
【００４９】
［収納する物品］
本実施形態に係る収納箱１は、特に、医療用品の輸送に用いることが好ましい。さらには、個別に梱包された複数の注射器の輸送に用いることが好ましい。
【００５０】
具体的には、本実施形態に係る収納箱１は、注射器が個別に梱包された袋を収納するために用いられる収納箱であることが好ましい。例えば、注射器を梱包する袋は、通常のピロー包装の袋等であり、その包材の種類や袋の形態について特に限定はない。
【００５１】
本実施形態に係る収納箱１は、羽部５を備えているため、輸送中に内部の注射器が動き難い。また、上記羽部５が開口部９を有しているので、収納箱１中の注射器の本数を容易に確認することができる。
【００５２】
さらに好ましくは、上記注射器とは、予め薬品が充填された使い捨ての注射器であることが好ましい。
【００５３】
ここで、上記予め薬品が充填された使い捨ての注射器とは、樹脂製のシリンジを備える、ピロー包装されたものであることが好ましい。このような樹脂製のシリンジは、従来のガラス製の物のように、割れたりする危険性が少ないので、本実施形態に係る収納箱１のような紙製の箱に、ピロー包装された状態で収納して、複数本を同時に輸送することができる。
【００５４】
また、上記薬品とは、例えば、ヒアルロン酸等である。上記薬品が、ヒアルロン酸等の定期的に供給が必要な薬品の場合であっても、本発明に係る収納箱を使用することにより、安全に、かつ大量の注射器を輸送することができる。
【００５５】
〈作用効果〉
以下、上記実施形態に係る収納箱１の作用効果について説明する。
【００５６】
上記構成からなる収納箱１は、上記羽部５を備えているため輸送時に収納物が動き難く、また、上記切断部７ａを切断することにより、使用後には容易に解体ができる。
【００５７】
そして、上記羽部５は、その一部に開口部９を有していてもよい。このような開口部９を設けることにより、羽部５を閉じた状態でも、収納した物品が見えるようになる。
【００５８】
また、上記蓋部４は差し込み部１０が設けられたフラップ６ｂを有し、上記フラップ６ｂが重なる側面部（側面部３ｂ）は上記差し込み部１０が挿入される差し込み口１１を有していてもよい。このようにすれば、開封後であっても、再び蓋部４を閉じた状態にすることができる。
【００５９】
また、上記収納箱１は、充分な強度が確保でき、軽量な板紙製であってもよい。
【００６０】
また、上記収納箱１の解体時には、上記羽部５を上記側面部（側面部３ａ）に重ねて２重とし、前記２重となった部分を掴んで上記切断部（切断部７ａ）を切断して平坦状に変形可能に構成されている。このように、かさばらない状態とすることができるので、収納箱の回収や破棄が簡単になる。
【００６１】
また、上記実施形態に係る収納箱１には、個別に包装された注射器を収納してもよい。そして、該注射器には、薬品が充填されていてもよい。上記実施形態に係る収納箱１は、十分な強度を持ち、輸送時に収納物が動き難く、かつ使用後の解体が容易であるため、注射器等の医療現場で使用する物品を収納して輸送するのに適している。
【００６２】
以上、本発明に係る収納箱について、実施形態を挙げて説明したが、本発明はこれらに制限されるものではない。例えば、図１ないし図４に係る収納箱は、梱包された注射器が一列に収納されるような形状のものを想定しているが、梱包された注射器が２段もしくはそれ以上で収納されてもよい。この際、それぞれの段の間に板紙等を挟み込むことにより、注射器が動くことを防止できる。
【００６３】
また、本発明に係る収納箱は使い捨てであってもよい。このようにすれば、清潔な状態で注射器等の医療品を扱うことができる。
【図面の簡単な説明】
【００６４】
【図１】本発明に係る収納箱の開封時の斜視図
【図２】本発明に係る収納箱の蓋部を閉じた状態の斜視図
【図３】本発明に係る収納箱の展開図
【図４】本発明に係る収納箱の側面部の内側を表す図
【符号の説明】
【００６５】
１  収納箱
２  底面部
３ａ、３ｂ  側面部
４  蓋部
５  羽部
６ａ、６ｂ  フラップ
７ａ、７ｂ  切断部
８  折り線
９  開口部
１０  差し込み部
１１  差し込み口
【図１】
2010095273.tif 000003
【図２】
2010095273.tif 000004
【図３】
2010095273.tif 000005
【図４】
2010095273.tif 000006